(57)【特許請求の範囲】
【請求項１】
装置本体ユニットと、
当該装置本体ユニットに開閉可能に取り付けられた開閉ユニットと、
前記装置本体ユニットに沿った閉じ位置にある前記開閉ユニットと前記装置本体ユニットの間に形成され、前記開閉ユニットを開くと開放状態に切り替わるカード搬送路と、
当該カード搬送路に沿ってカードを搬送するカード搬送機構とを有し、
当該カード搬送機構は、前記装置本体ユニットに配置された搬送部品を備え、
前記装置本体ユニットは、
前記搬送部品が交換可能に取り付けられる搬送部品取付部と、
当該搬送部品取付部のみを外部に露出させる開口と、
当該開口に着脱可能に取り付けられるカバーとを備え、
前記搬送部品は、ローラーシャフトおよびこれに取り付けられた搬送ローラーならびに従動歯車を備えるローラーユニットであり、
前記搬送部品取付部に、前記ローラーユニットが交換可能に取り付けられることを特徴とする搬送部品取付部の開閉構造を備えたカード処理装置。
【請求項２】
請求項１において、
前記搬送部品取付部は、前記ローラーシャフトの端部に取り付けられた軸受を嵌め込む軸受装着部を備え、
前記カバーは、前記軸受装着部に対峙する部分に形成された軸受固定部を備え、
前記軸受装着部および前記軸受固定部は、前記開口に前記カバーを取り付けたとき、前記軸受を挟み込んで保持する軸受保持部を形成することを特徴とする搬送部品取付部の開閉構造を備えたカード処理装置。
【請求項３】
請求項１または２において、
前記装置本体ユニットは、前記カバーを外側から覆う外部カバーを備え、
当該外部カバーは、板金部材であることを特徴とする搬送部品取付部の開閉構造を備えたカード処理装置。
【請求項４】
請求項１ないし３のいずれかの項において、
前記搬送部品取付部は、前記装置本体ユニットにおける前記開閉ユニットを取り付けた
側に対して裏側に位置する面に前記開口が設けられるように構成されていることを特徴とする搬送部品取付部の開閉構造を備えたカード処理装置。
【発明の詳細な説明】
【技術分野】
【０００１】
本発明は、遊技用台間機などに組み込まれるカード処理装置に関し、特にカード搬送機構のメンテナンス性を考慮して構成されたカード処理装置に関する。
【背景技術】
【０００２】
パチンコ店などの遊技施設では、遊技台に隣接配置された台間機において遊技台でプレーをするために遊技媒体の貸出が行われるようになっている。近年においては現金の代わりに磁気カード、ＩＣカードなどの記録媒体を用いて遊技媒体の貸出を行うことのできる台間機が普及している。このような台間機には、紙幣識別機などの金銭処理装置と共にカードリーダライターとカードスタッカを備えたカード処理装置が内蔵されている。例えば投入金額に応じた金額（有価価値情報）が記憶されたプリペイドカードを発行し、プリペイドカードが挿入されると、そこに担持されている金銭情報などを読み込んで遊技媒体の貸出処理を行うように構成されている。
【０００３】
特許文献１には、ＲＦアンテナを備えたリードライト部を備えたカード発行装置が提案されており、このカード発行装置では、カード挿入排出口から挿入されたカードを、搬送ベルトからなる搬送機構によってリードライト部に送り込み、リードライト部から更に奥に送り込まれたカードを搬送方向に直交する方向に積層状態で収納するようにしている。このように、直線状の搬送路に沿ってリードライト部およびカード収納部を縦列状態に配置することによって、カード発行装置を偏平な構成にすることができる。
【０００４】
このようなカード処理装置においては、そのカード搬送路に沿ってカードを搬送するためのベルトやローラーなどの搬送部品、搬送されるカードの位置を検出するための複数の検出部品が内蔵されている。これらの部品はカード搬送路に露出しているので、長期使用により埃などの異物が付着し、搬送性能、検出性能が低下する。また、反りなどの変形のあるカードが挿入されると、カード搬送路内においてカードが詰まることがある。そこで、カード搬送路などに扉を設けて、汚れの除去、摩耗した部品の交換、詰まったカードの除去などのメンテナンスを行うことが考えられる。特許文献２には、ドア部材を配置して、これを開けて搬送路を開放状態にできる搬送路開放構造を備えたカード処理装置が記載されている。
【先行技術文献】
【特許文献】
【０００５】
【特許文献１】特許第３８３２１７６号公報
【特許文献２】特開２０１０−２４０２６９号公報
【発明の概要】
【発明が解決しようとする課題】
【０００６】
従来のカード処理装置では、搬送路開放構造を設けたことにより、ベルトやローラーなどの搬送部品を露出させることができるものの、搬送部品の一部のみが搬送路面から露出しており、他の部分が搬送路面に覆われているような場合には、搬送路を開放しただけでは磨耗した搬送部品を交換することはできない。このような場合、従来の構造では、装置本体の裏カバーを外し、カード搬送路の裏側から搬送部品を取り外して交換するように構成している。
【０００７】
しかしながら、装置本体の裏カバーは、通常は、専用の工具でのみ取り外し可能な特殊なネジ（いたずら防止ネジ）を用いてネジ止めされている。このため、搬送部品の交換のために専用の工具を準備しなければならず、簡単に交換作業を行うことができなかった。また、裏カバーを外すと、搬送部品やその取付部だけでなく、その周囲にある配線や他の部品までも露出されるため、周囲の部品や配線に接触して動かしてしまったり、これらを損傷させて不具合を発生させるおそれがあった。よって、搬送部品のメンテナンス性が良好とはいえないという問題点があった。
【０００８】
本発明の課題は、このような点に鑑みて、搬送部品のメンテナンス作業を容易に行い得るようにした搬送部品取付部の開閉構造を備えたカード処理装置を提案することにある。
【課題を解決するための手段】
【０００９】
上記の課題を解決するために、本発明の搬送部品取付部の開閉構造を備えたカード処理装置は、
装置本体ユニットと、
当該装置本体ユニットに開閉可能に取り付けられた開閉ユニットと、
前記装置本体ユニットに沿った閉じ位置にある前記開閉ユニットと前記装置本体ユニットの間に形成され、前記開閉ユニットを開くと開放状態に切り替わるカード搬送路と、
当該カード搬送路に沿ってカードを搬送するカード搬送機構とを有し、
当該カード搬送機構は、前記装置本体ユニットに配置された搬送部品を備え、
前記装置本体ユニットは、
前記搬送部品が交換可能に取り付けられる搬送部品取付部と、
当該搬送部品取付部のみを外部に露出させる開口と、
当該開口に着脱可能に取り付けられるカバーとを備えることを特徴としている。
【００１０】
本発明のカード処理装置は、装置本体ユニットに搬送部品を配置するにあたって、装置本体ユニットに搬送部品取付部のみを外部に露出させる開口を設け、ここから搬送部品のメンテナンスを行い得るようにしている。そして、この開口に着脱可能なカバーを設けて、メンテナンス時以外は搬送部品取付部を閉鎖可能にしている。このようにすると、カバーの着脱によって搬送部品取付部のみを開閉でき、メンテナンスすべき部品のみを露出させることができる。また、周囲の重要な部品（配線や電気部品など）が露出することがないため、カバーの取り付けに特殊なネジを用いて簡単に開けられない構成にする必要もない。従って、搬送部品のみを簡単に露出させることができ、メンテナンスが容易である。
【００１１】
上記構成に加えて、本発明では、前記搬送部品として、ローラーシャフトおよびこれに取り付けられた搬送ローラーならびに従動歯車を備えるローラーユニットを用いており、前記搬送部品取付部を、前記ローラーユニットが交換可能に取り付けられるように構成している。このようにすると、摩耗しやすいゴム製の搬送ローラーを容易に交換できるため、便利である。
【００１２】
本発明において、前記搬送部品取付部は、前記ローラーシャフトの端部に取り付けられた軸受を嵌め込む軸受装着部を備え、前記カバーは、前記軸受装着部に対峙する部分に形成された軸受固定部を備え、前記軸受装着部および前記軸受固定部は、前記開口に前記カバーを取り付けたとき、前記軸受を挟み込んで保持する軸受保持部を形成するように構成することが望ましい。このようにすると、ローラーユニットの端部に取り付けられた軸受を軸受装着部に位置決めしてローラーユニットを嵌め込み、その後にカバーを取り付けるだけで、軸受を精度良く確実に固定できる。従って、ローラーユニットを簡単に交換でき、取付精度も良好である。
【００１３】
また、本発明において、前記装置本体ユニットに、前記カバーを外側から覆う外部カバーを設け、当該外部カバーを板金部材とした場合には、電磁波などの遮蔽効果が高まる。従って、装置本体ユニットに設けられた部品への電磁波の影響を低減させることができる。
【００１４】
更に、本発明において、前記搬送部品取付部を、前記装置本体ユニットにおける前記開閉ユニットを取り付けた側に対して裏側に位置する面に前記開口が設けられるように構成することが望ましい。このようにすると、開閉ユニットを開けることなくカバーを取り外すことができるため、ローラーユニットの交換作業をより簡単に行うことができる。
【発明の効果】
【００１５】
本発明によれば、装置本体ユニットに搬送部品取付部のみを外部に露出させる開口を設け、ここから搬送部品のメンテナンスを行い得るようにしており、この開口に着脱可能なカバーを設けている。このため、カバーの着脱によって搬送部品取付部のみを開閉でき、メンテナンスすべき部品のみを露出させることができる。また、周囲の重要な部品（配線や電気部品など）が露出することがないため、カバーの取り付けに特殊なネジを用いて簡単に開けられない構成にする必要もない。従って、搬送部品のみを簡単に露出させることができ、メンテナンスが容易である。
【図面の簡単な説明】
【００１６】
【図１】（ａ）は本発明を適用したカード処理装置が組み込まれた遊技台用台間機を示す斜視図であり、（ｂ）は遊技台用台間機の台間機本体を台間機ホルダーから引き出した状態を示す斜視図である。
【図２】（ａ）は図１の遊技台用台間機に組み込まれているカード処理装置を示す斜視図であり、（ｂ）はその分解斜視図である。
【図３】（ａ）は図２のカード処理装置の内部構造を示す断面図であり、（ｂ）はその装置本体ユニットの側の搬送路面を示す側面図である。
【図４】図２のカード処理装置におけるカード送り出し動作を示す説明図である。
【図５】図２のカード処理装置における待機状態からカード取り込み完了までの動作を示す説明図である。
【図６】（ａ）は図２のカード処理装置において着脱式の開閉ユニットのロックを解除した状態を示す斜視図であり、（ｂ）は開閉ユニットを開けた状態を示す斜視図であり、（ｃ）は開閉ユニットを装置本体ユニットから外した状態を示す分解斜視図であり、（ｄ）は取り外した開閉ユニットを内側から見た場合の斜視図である。
【図７】装置本体ユニットの搬送部品取付部を示す斜視図であり、（ａ）はローラーカバーを取り付けた状態を示す斜視図であり、（ｂ）はローラーカバーを外した状態を示す分解斜視図であり、（ｃ）はローラーユニットを取り外した状態を示す分解斜視図である。
【図８】ローラーユニットを示す斜視図である。
【図９】軸受保持部の断面図（図７（ｃ）のＡ−Ａ部分断面図）であり、（ａ）はローラーカバー６１を外した場合の部分断面図であり、（ｂ）はローラーカバー６１を取り付けた場合の部分断面図である。
【図１０】実施例２の搬送部品取付部を示す斜視図であり、（ａ）はローラーカバーを取り付けた状態を示す斜視図であり、（ｂ）は外部カバーを外した状態を示す分解斜視図であり、（ｃ）はローラーカバーを外した状態を示す分解斜視図であり、（ｄ）はローラーユニットを取り外した状態を示す分解斜視図である。
【図１１】実施例２のローラーユニットを示す斜視図である。
【発明を実施するための形態】
【００１７】
以下に、図面を参照して本発明を適用したカード処理装置の実施の形態を説明する。本実施の形態に係るカード処理装置は遊技台用台間機に組み込まれるものであるが、本発明は遊技台用台間機以外の機器に用いるカード処理装置に対しても同様に適用可能なことは勿論である。
【００１８】
（遊技台用台間機）
図１（ａ）は本発明を適用したカード処理装置が組み込まれた遊技台用台間機を示す斜視図であり、図１（ｂ）は遊技台用台間機の台間機本体を台間機ホルダーから引き出した状態を示す斜視図である。本実施の形態に係るカード処理装置１が組み込まれている遊技台用台間機１００は、パチンコ店などの遊技施設において遊技島を構成している遊技台（図示せず）の間に配置されるものであり、遊技島構成枠（図示せず）に固定される台間機ホルダー１０１と、この台間機ホルダー１０１に対して前側から取り外し可能な状態で挿入されている台間機本体１０２とを備えている。
【００１９】
台間機本体１０２は偏平で縦長の直方体形状の板金製のケース１０３と、この前面に取り付けたプラスチック製の前面パネル１０４とを備えており、ケース１０３の内部には、制御ユニット、電源ユニット、金銭処理ユニットと共に、カード処理装置１が組み込まれている。カード処理装置１の前面に位置する前面パネル１０４の部分にはカード挿入排出用のカードスロット１０５が形成されており、ここを介して、カード、本例ではＲＦＩＣチップが搭載されている非接触型ＩＣカードＣ（以下、単に「カードＣ」と呼ぶ場合もある。）の挿入、排出が行われる。なお、遊技台用台間機１００の構成、動作は一般的に知られているものと同様であるので、これ以上の説明は省略する。
【００２０】
（カード処理装置）
図２（ａ）は図１の遊技台用台間機１００に組み込まれているカード処理装置１を示す斜視図であり、図２（ｂ）はその分解斜視図である。これらの図を参照して説明すると、カード処理装置１は、全体として前後方向に長い偏平な直方体形状をしており、装置本体ユニット２と、この装置本体ユニット２に取り付けられた着脱式の開閉ユニット３とを備えている。装置本体ユニット２は装置前後方向に長い偏平な直方体形状をしたユニットであり、その一方の側面には前後方向に延びる一定幅で一定深さの凹部４が形成されている。開閉ユニット３は凹部４に丁度嵌り込む大きさの直方体形状をしており、その後端部における装置上下方向に延びる開閉中心軸線５を中心として、当該凹部４に装着された閉じ位置３Ａから後述の開き位置３Ｂ（図６（ｂ）参照）までの範囲内で開閉可能であり、後述のロック機構によって閉じ位置３Ａにロックされている。また、開閉ユニット３は装置本体ユニット２から取り外すことが可能である。凹部４の装置前面部分には、装置本体ユニット２に対して入口ガイドユニット６が固定ネジ７によって固定されている。
【００２１】
図３（ａ）はカード処理装置１の内部構造を示す断面図であり、図３（ｂ）はその装置本体ユニット２の側の搬送路面を示す側面図である。図２および図３を参照してカード処理装置１の内部構造を説明する。カード処理装置１の前端面１１には、その前端面１１における幅方向の中央に上下に延びる一定幅のカード挿入排出口１２が形成されている。本例では、装置本体ユニット２と、ここに形成した凹部４の前端部分に取り付けた入口ガイドユニット６との間にカード挿入排出口１２が形成されている。カード挿入排出口１２を介して、カードＣをその長手方向に沿って挿入、排出することができる。
【００２２】
カード処理装置１の内部には、カード挿入排出口１２から後方に直線状に延びる一定幅のカード搬送路１３が形成されている。カード搬送路１３はカードＣをその長手方向に１枚ずつ搬送可能な幅の通路であり、入口側カード搬送路１３Ａと、この入口側カード搬送路１３Ａの後端から後方に延びるカード搬送路１３Ｂとを備えている。カード搬送路１３Ｂの後端１３ｂは、装置前後方向の中程の位置において、当該カード搬送路１３Ｂよりも広幅のカードスタッカ１４に繋がっており、当該後端１３ｂがカードスタッカ１４のカード送り出し口となっている。カードスタッカ１４はカード搬送路１３Ｂから送り込まれるカードＣをカード搬送路１３の搬送方向に直交する装置幅方向に重ねた状態、換言するとカードＣの厚さ方向に重ねた状態で収納可能である。
【００２３】
入口側カード搬送路１３Ａは装置本体ユニット２と入口ガイドユニット６の間に形成されており、後側のカード搬送路１３Ｂは装置本体ユニット２と開閉ユニット３の間に形成されている。すなわち、入口側カード搬送路１３Ａは、装置本体ユニット２の凹部４の底面を規定している全体として平坦な第１搬送路面１５の前側部分と、これに装置幅方向において一定の間隔で対峙している入口ガイドユニット６の内側側面によって規定される平坦な第２搬送路面部分１６との間に形成されている。カード搬送路１３Ｂは、装置本体ユニット２の側の第１搬送路面１５と、これに対峙している開閉ユニット３の内側側面によって規定される平坦な第２搬送路面部分１７との間に形成されている。第１搬送路面１５の後側部分は第２搬送路面部分１７の後端１３ｂ（カードスタッカ１４のカード送り出し口）よりも後方に延びている後側搬送路面部分１５ａとなっている。この後側搬送路面部分１５ａには、開閉ユニット３の側に形成されているカードスタッカ１４の矩形輪郭のスタッカ開口部１４ａが対峙している。
【００２４】
カード搬送路１３Ｂおよびカードスタッカ１４にはカードＣを搬送するためのカード搬送機構２０が配置されている。カード搬送機構２０は、第１搬送ローラー２１および第２搬送ローラー２２と、第１搬送ローラー２１に押し付け可能なアイドラローラー２３と、第１、第２搬送ローラー２１、２２を駆動するための駆動モーター２４と、駆動モーター２４の駆動力を第１、第２搬送ローラー２１、２２に伝達するための歯車列２５とを備えている。駆動モーター２４によって第１、第２搬送ローラー２１、２２が同期して回転駆動されるようになっている。また、第１搬送ローラー２１はカード搬送路１３Ｂ上に配置されているが、第２搬送ローラー２２は、カードスタッカ１４に対峙している後側搬送路面部分１５ａにおいて、カード搬送路１３Ｂの後端１３ｂの後側近傍位置に配置されている。また、第１、第２搬送ローラー２１、２２の間隔はカードＣの搬送方向の長さよりも短い寸法に設定されている。カード搬送機構２０の構成部品のうち、アイドラローラー２３は開閉ユニット３の側に搭載されているが、それ以外は装置本体ユニット２の側に搭載されている。
【００２５】
装置本体ユニット２において、入口側カード搬送路１３Ａにおけるカード挿入排出口１２と第１搬送ローラー２１の間には、ソレノイド駆動式の入口シャッター２６が配置されている。入口シャッター２６が開くとカードＣの挿入が可能になり、挿入されたカードＣにおける搬送路搬入方向の先端側の端面Ｃａが第１搬送ローラー２１およびアイドラローラー２３のニップ部に押し込まれると、カード搬送機構２０によるカード搬送が可能になる。
【００２６】
装置本体ユニット２における第１搬送路面１５の背面側には、これと平行に回路基板２７が配置されている。回路基板２７には、カード処理装置１の駆動制御を司る制御回路が搭載されていると共に、カードＣに対して非接触状態で情報のリードライトを行うためのＲＦアンテナ２８（リードライト部）が搭載されている。このＲＦアンテナ２８は、図３（ｂ）において想像線で示すように、カード搬送路１３Ｂにおける第１、第２搬送ローラー２１、２２の間の部位に対峙している回路基板２７の表面に搭載されているループ状のアンテナである。
【００２７】
ここで、回路基板２７にはカードＣの搬送制御を行うために用いる複数のカード検出器が搭載されている。主に図３（ｂ）を参照して、これらのカード検出器によるカード検出位置を説明する。まず、入口側カード搬送路１３Ａにおけるカード挿入排出口１２の近傍位置には、フォトインタラプタ方式のカード検出器の入口レバー３１が配置されている。入口レバー３１は入口側カード搬送路１３Ａ内に突出した状態に付勢されており、カード挿入排出口１２に挿入されるカードＣによって装置幅方向に押されて入口側カード搬送路１３Ａから退避する方向に押し込み可能となっている。入口レバー３１の動きによって、回路基板２７に実装されているフォトインタラプタは、入口側カード搬送路１３ＡにカードＣが挿入されたこと、および、当該カード挿入排出口１２からカードＣが完全に引き抜かれたことを検出できる。
【００２８】
入口側カード搬送路１３Ａにおける入口シャッター２６と第１搬送ローラー２１の間の部位には、入口側カード搬送路１３Ａにおける上端および下端に、一対のフォトセンサ３２、３３が配置されている。これらのフォトセンサ３２、３３は、カードＣがＲＦアンテナ２８によるカードリードライト位置に位置したことを検出するためのものである。本例では、カードＣがカードリードライト位置に位置決めされると、リードライト対象のカードＣ（２８）における搬送路搬入方向の後端縁部分が、上側のフォトセンサ３２の検出位置に位置し、下側のフォトセンサ３３の検出位置からは搬入方向に外れた位置になる。これら双方のフォトセンサ３２、３３の検出信号に基づき、カードＣがカードリードライト位置に位置決めされたことを検出できる。
【００２９】
次に、カード搬送路１３Ｂにおける第１搬送ローラー２１およびアイドラローラー２３のニップ位置に対応するカード搬送路１３Ｂの下端の部位には、１個のフォトセンサ３４が配置されている。このフォトセンサ３４の検出信号に基づき、カード挿入排出口１２から挿入されたカードＣの先端が第１搬送ローラー２１、アイドラローラー２３のニップ部にくわえ込まれたこと（搬送開始時点）、および、排出されるカードＣが当該ニップ部を通過し終えたこと（搬送終了時点）を検出できる。
【００３０】
カード搬送路１３Ｂの後端１３ｂには、その下端部分に１個のフォトセンサ３５が配置されている。このフォトセンサ３５の検出信号に基づき、カード搬送路１３Ｂに沿ってカードスタッカ１４に送り込まれるカードＣが当該カードスタッカ１４内に収納され終わったことを検出できる。
【００３１】
（カードスタッカ）
次に、主に図３（ａ）を参照してカードスタッカ１４の構造を説明する。開閉ユニット３に形成されているカードスタッカ１４は、その第２搬送路面部分１７の後側に形成されており、１枚のカードＣを厚さ方向に挿入して積層状態で収納可能な矩形形状をした一定深さの凹部である。このカードスタッカ１４のスタッカ開口部１４ａが装置本体ユニット２の側の第１搬送路面１５の後側搬送路面部分１５ａに対峙している。カードスタッカ１４には、後側搬送路面部分１５ａに対峙する状態で、カードスタッカ１４の底面を規定している矩形のカード押し上げ板４１が配置されている。カード押し上げ板４１は背面側から円錐台状の圧縮コイルバネ４２によって後側搬送路面部分１５ａに向けて押し上げられている。圧縮コイルバネ４２による押し上げ位置４２Ａは、カード搬送方向に沿って見た場合に、カード押し上げ板４１の中心位置あるいは当該中心位置よりも後方側の位置とされ、本例では中心位置に一致している。
【００３２】
これに対して、後側搬送路面部分１５ａにおいては、カード搬送路１３Ｂの後端１３ｂ（カード送り出し口）の近傍位置に第２搬送ローラー２２が露出しており、この第２搬送ローラー２２よりも後側の位置には、装置幅方向に沿ってカードスタッカ１４内に突入可能な一対のソレノイド駆動式の押し下げ部材４３、４４が配置されている。押し下げ部材４３、４４はカードスタッカ１４の上下方向（収納されているＩＣカードＣの短辺方向）において対称の位置に配置されている。
【００３３】
これらの押し下げ部材４３、４４は、非励磁状態では、図３（ａ）に示すように、後側搬送路面部分１５ａの背面側に後退した退避位置にあり、励磁されると後側搬送路面部分１５ａからカードスタッカ１４内に向けて、少なくともカードＣの１枚分以上の厚さ寸法だけ突入したカード押し下げ位置に切り替わる。また、これらの押し下げ部材４３、４４によるカード押し下げ位置４３Ａは、カード搬送方向に沿って見た場合に、圧縮コイルバネ４２の押し上げ位置４２Ａよりも装置前方側にオフセットした位置であり、第２搬送ローラー２２の収納カードＣ（１４）に対する当接位置２２Ａよりも装置後方側の位置となっている。
【００３４】
カード押し下げ部材４３、４４をカードスタッカ１４内に突出させると、押し上げ板４１の押し上げ力に逆らって収納カードＣ（１４）が押し下げられる。本例では、圧縮コイルバネ４２による押し上げ板４１の押し上げ位置４２Ａよりも装置前側にオフセットしたカード押し下げ位置４３Ａにおいて、カード押し下げ部材４３、４４によって収納カードＣ（１４）が押し下げられる。この結果、収納カードＣ（１４）における装置前側の部分が圧縮コイルバネ４２による押し上げ位置４２Ａを支点にして押し下げられる。よって、収納カードＣ（１４）の全体を押し下げる場合に比べて、小さな押し下げ力で確実に、後側搬送路面部分１５ａと収納カードＣ（１４）の最上位カードＣ１との間に、カード搬送路１３ＢからカードＣを送り込むための隙間を形成できる。
【００３５】
次に、カードスタッカ１４における装置前後方向の後端部には、カードスタッカ１４に収納されている収納カードＣ（１４）のうち最も上に積層されている最上位カードＣ１を、そのカード厚さ方向に直交する押し出し方向、本例では後側搬送路面部分１５ａに沿ったカード搬送方向に押し出してカード搬送路１３Ｂに送り出す収納カード繰り出し機構９０が配置されている。収納カード繰り出し機構９０は、後側搬送路面部分１５ａの後端部分から突出している一対のカード係合爪９１、９２と、これらのカード係合爪９１、９２を圧縮コイルバネ９３、９４を介して支持している爪スライド機構９５とを備えている。
【００３６】
カード係合爪９１、９２は、後側搬送路面部分１５ａにおいて上下方向の対称位置に配置されており、最上位カードＣ１の後側の端面に対して後側から係合可能である。また、カード係合爪９１、９２は、爪スライド機構９５によって、装置前後方向に一定の範囲内で往復移動可能となっている。この構成の収納カード繰り出し機構９０と、カード搬送機構２０の第２搬送ローラー２２とによって、カードスタッカ１４に積層状態で収納されている収納カードＣ（１４）から、その最上位カードＣ１を確実に分離し、当該カードＣ１をカード搬送路１３Ｂに向けて送り出すことが可能である。
【００３７】
（カード搬送路の長さ寸法）
上記構成のカード処理装置１において、ＲＦアンテナ２８によるカードリードライト位置に位置決めされたリードライト対象のＩＣカードＣ（２８）は、図３に示すように、その搬送路搬入方向の先端部分がカードスタッカ１４のカード送り出し口（カード搬送路１３Ｂの後端１３ｂ）から所定の距離だけ奥に入り込んだ状態になる。このカードリードライト位置では、ＩＣカードＣ（２８）の搬送路搬入方向の先端側の端面Ｃａが一対の押し下げ部材４３、４４の直前に位置し、その後端側の端面Ｃｂが一対のフォトセンサ３２、３３の間に位置している。したがって、カードリードライト位置にあるＩＣカードＣ（２８）の搬送路搬入方向における先端部分は、カードスタッカ１４に収納されている収納カードＣ（１４）の最上位カードＣ１の搬送路搬入方向における後端部分に所定長さ分だけ重なった状態になる。また、リードライト位置にあるカードＣ（２８）には双方の第１、第２搬送ローラー２１、２２が当接した状態となる。
【００３８】
これらのカードの重なり寸法ΔＬは、カードリードライト位置にあるカードＣ（２８）をＲＦアンテナ２８によってリードライトする際に、収納カードＣ（１４）との間でコリジョンが発生しない最大寸法に設定されている。このため、カード搬送路１３（１３Ａ、１３Ｂ）を短くすることができ、カード処理装置１の前後方向の長さ寸法を小さくすることができる。このようにすると、短いカード搬送路１３に沿ってカードＣを搬送すればよいので、搬送ベルトの代わりに、一対の搬送ローラー２１、２２を用いてカードＣを搬送することができる。すなわち、一対の搬送ローラー２１、２２をカードＣの搬送方向の長さＬ（Ｃ）よりも狭い間隔に配置してカード搬送を確実に行うことができる。搬送ベルトを使用する場合には長期使用によってベルトの伸びなどに起因して搬送不良、カード詰まりなどが発生するおそれが高いが、搬送ローラーを用いることにより搬送機構の耐久性を高めることができる。
【００３９】
さらに、第２搬送ローラー２２はカードスタッカ１４に対峙している後側搬送路面部分１５ａに配置されている。したがって、第２搬送ローラー２２は、図３に示すように、リードライト位置にあるカードＣ（２８）における後側の部分に当接する。また、リードライト位置にカードＣ（２８）が無い場合には、収納カードＣ（１４）の最も上に位置している最上位カードＣ１の前側の部分に当接する。したがって、第２搬送ローラー２２を用いて、リードライト位置にあるカードＣ（２８）をカードスタッカ１４内に送り込むことができ、また、カードスタッカ１４内のカードＣ１をカード搬送路１３に向けて送り出すことができる（図４、図５参照）。
【００４０】
（カード処理動作）
次に、図４はカード処理装置１におけるカード送り出し動作を示す説明図であり、図５はカード処理装置１における待機状態からカード取り込み完了までの動作を示す説明図である。これらの図を参照して、カード処理装置１によるカード処理動作を説明する。まず、図４（ａ１）〜（ａ３）に示すように、電源オフ状態においてカードスタッカ１４内に複数枚の収納カードＣ（１４）が収納された状態にあるものとする。この状態では、カードスタッカ１４内の収納カードＣ（１４）はカード押し上げ板４１によって第１搬送路面１５の後側搬送路面部分１５ａの側に押し上げられており、その最も上側に位置する最上位のカードＣ１が後側搬送路面部分１５ａと、ここからカードスタッカ１４内に僅かに外周面が露出している第２搬送ローラー２２に押し付けられている。また、最上位のカードＣ１の搬送路搬入方向の先端側の端面Ｃａには一対のカード係合爪９１、９２が付勢され、これらが、カード先端側の端面Ｃａに後側から係合している。
【００４１】
電源がオンされると、図４（ｂ１）、（ｂ２）に示すように、収納カード繰り出し機構９０の一対のカード係合爪９１、９２が前方にスライドを開始し、これらが係合しているカードスタッカ１４内の最上位のカードＣ１が前方に押し出される。これと同時に、カード搬送機構２０が駆動され、第１、第２搬送ローラー２１、２２が反時計回りに回転を開始する。この結果、カードＣ１が、それ以外のカードＣ（１４）から分離されてカードスタッカ１４からカード搬送路１３に送り出される。カードＣ１が所定距離だけ送り出された後はスライダ９６が後退して元の位置に戻る。これに対して、搬送ローラー２１、２２の回転は継続され、カードＣ１が継続して送り出される。
【００４２】
送り出されたカードＣ１の送り出し側の端面Ｃｂが一対のフォトセンサ３２、３３の間に位置する状態にまで前進すると、当該カードＣ１の搬送が止まる。これにより、カードＣ１はカードリードライト位置に位置決めされる。この結果、図５（ａ１）、（ａ２）に示す待機状態が形成される。この状態では、第１、第２搬送ローラー２１、２２の双方が、カードリードライト位置にあるカードＣ１に当接している。
【００４３】
待機状態にあるカード処理装置１において、図５（ｂ１）、（ｂ２）に示すように、カード挿入排出口１２からカードＣ２が挿入されると、当該カードＣ２の挿入が入口レバー３１によって検知される。カード挿入が検知されると、カード搬送機構２０が駆動され、カード搬送路１３上のカードリードライト位置に保留されているカードＣ１を第１、第２搬送ローラー２１、２２によってカードスタッカ１４の収納位置まで戻す。
【００４４】
フォトセンサ３５によってカードＣ１がカードスタッカ１４内に戻ったことが検知されると、図５（ｃ１）、（ｃ２）に示すように、入口シャッター２６が開き、カードＣ２を第１搬送ローラー２１のニップ位置まで挿入可能になる。カードＣ２を押し込むと、回転している第１搬送ローラー２１によってカードＣ２が取り込まれ、カード搬送路１３に沿って後側に向けて搬送される。
【００４５】
ここで、第１搬送ローラー２１のニップ部に配置されているフォトセンサ３４によってカードＣ２の取り込みが検知されると、カードスタッカ１４においてはカード押し下げ部材４３、４４がカードスタッカ１４内に突出して、収納カードＣを第１搬送路面１５から離れる方向に押し込む。この結果、図５（ｄ１）、（ｄ２）に示すように、カードスタッカ１４において、後側搬送路面部分１５ａの側には、取り込まれたカードＣ２を挿入可能な隙間が形成される。取り込まれたカードＣ２の送り込み側の先端部分がカードスタッカ１４内に挿入され、その送り込み方向の後側の端面Ｃｂが一対のフォトセンサ３２、３３の間に至ると、カード搬送が止まり、カード取り込みが完了する。
【００４６】
このようにしてカードリードライト位置に取り込まれたカードＣ２に対する情報のリードライトが行われる。取り込まれたカードＣ２の搬送路搬入方向の先端側の端面Ｃａは、カード押し下げ位置に突出している一対のカード押し下げ部材４３、４４に当たり、カードリードライト位置に位置決めされる。したがって、カード押し下げ部材４３、４４は、取り込まれたカードＣ２をカードリードライト位置に位置決めするためのストッパとしても機能する。
【００４７】
（開閉ユニットの開閉・着脱機構、ロック機構）
図６（ａ）は着脱式の開閉ユニット３のロックを解除した状態を示す斜視図であり、図６（ｂ）は開閉ユニット３を開けた状態を示す斜視図であり、図６（ｃ）は開閉ユニット３を装置本体ユニット２から外した状態を示す分解斜視図であり、図６（ｄ）は取り外した開閉ユニット３を内側から見た場合の斜視図である。これらの図を参照して開閉ユニット３の開閉・着脱機構を説明する。
【００４８】
開閉ユニット３には、その上面部分３ａおよび下面部分３ｂの後端側の部位に、上下に突出したピボット軸５１、５２が同軸状態に形成されている。装置本体ユニット２の側には、その凹部４の上側の下面部分４ａおよび下側の上面部分４ｂにおける後端側の部位に、軸装着溝５３、５４が上下対称の状態に形成されている。後述のロック機構によるロックが解除された状態では、これらの軸装着溝５３、５４に着脱可能に装着したピボット軸５１、５２（開閉中心軸線５）を中心として、開閉ユニット３は装置本体ユニット２の凹部４に嵌り込んだ閉じ位置３Ａ（図２（ａ）参照）から図６（ｂ）に示す略９０度開いた開き位置３Ｂまでの間を開閉可能である。
【００４９】
下側の軸装着溝５４は、装置本体ユニット２の凹部４の上面部分４ｂにおいて装置幅方向に延びる矩形断面の直線状の溝部分５４ａを備え、この溝部分５４ａの端は装置本体ユニット２の裏側に開口している溝開口端５４ｂとなっている。溝部分５４ａの奥側の端は装置後方に直角に折れ曲がった方向に延びる溝部分５４ｃとなっている。上側の軸装着溝５３も同様な構成となっているのでその説明を省略し、対応する部位については軸装着溝５４における部位に使用した符号を用いて説明する。開閉ユニット３が閉じ位置３Ａに位置している状態では、その上下のピボット軸５１、５２は、上下の軸装着溝５３、５４における奥の溝部分５４ｃに回転可能な状態で装着されている。開閉ユニット３のロックを解除した後に（図６（ａ）参照）、上下のピボット軸５１、５２を対応する軸装着溝５３、５４に沿って一旦装置前方にスライドさせた後に、装置幅方向にスライドさせることにより、これらを軸装着溝５３、５４の溝開口端５４ｂから取り外すことができる。これにより、開閉ユニット３を図６（ｃ）に示すように、装置本体ユニット２から完全に外すことができる。
【００５０】
ここで、ロックが解除されて開閉可能となった開閉ユニット３は、下向きにした場合等において、自重によって装置本体ユニット２側の軸装着溝５３、５４から外れて落下するおそれがある。不用意に開閉ユニット３が装置本体ユニット２から外れることのないようにするためには、ピボット軸５１、５２を、それらの突出方向に向けて圧縮コイルバネなどの弾性付勢部材によって付勢しておくことが望ましい。このようにすれば、ピボット軸５１、５２は軸装着溝５３、５４の溝底面に押し付けられ、溝底面に対して所定の係合力で係合した状態になる。よって、係合力を適切な値に設定しておくことにより、自重によって開閉ユニット３が装置本体ユニット２からずり落ちてしまうなどの弊害を防止できる。
【００５１】
次に、図６を参照して、開閉ユニット３を装置本体ユニット２にロックしているロック機構を説明する。ロック機構は、開閉ユニット３の側に配置した一対のロックピン５５、５６と、装置本体ユニット２の側に配置した一対のロック溝５７、５８とを備えている。ロックピン５５、５６は、開閉ユニット３の上面部分３ａ、下面部分３ｂにおける前端側の部位に、それぞれ上方および下方に向けて同軸状態で突出している。ロック溝５７、５８は、装置本体ユニット２の凹部４における上側の下面部分４ａ、下側の上面部分４ｂにそれぞれ形成されており、ロックピン５５、５６を裏側から挿入可能である。
【００５２】
ロック溝５８は広幅の溝開口端５８ａと、ここから装置幅方向に延びている溝部分５８ｂを備えており、この溝部分５８ｂにおける装置前側の端面には装置後方に突出した係合面５８ｃが形成されている。ロックピン５６は装置後方にスライド可能であり、不図示の弾性付勢部材によって常に装置前方に付勢されている。上側のロック溝５７およびロックピン５５も同様である（以下の説明においては、ロック溝５７の各部位についてはロック溝５８における各部位に使用した符号を用いて説明する。）。したがって、開閉ユニット３が閉じ位置３Ａにある状態では、ロックピン５５、５６がロック溝５７、５８の係合面５８ｃに係合し、開閉ユニット３が閉じ位置３Ａにロックされる。
【００５３】
ここで、開閉ユニット３の外側の側面３ｃにおける前端側の部位には、ロック機構によるロックを解除するためのロック解除レバー５９が取り付けられている。ロック解除レバー５９はロックピン５５、５６に連結されている。ロックピン５５、５６に作用している付勢力に逆らってロック解除レバー５９を装置後方に押し込むと、ロックピン５５、５６がロック溝５７、５８の係合面５８ｃから外れる。したがって、ロック解除レバー５９を押し込みながら開閉ユニット３を側方に引くと、図８（ａ）に示すように、ロックピン５５、５６をロック溝５７、５８から側方に外すことができる。
【００５４】
このようにしてロックを解除した後は、図６（ｂ）に示すように、開閉ユニット３をその後端部の開閉中心軸線５を中心として略９０度開いた開き位置３Ｂまで開くことができる。開閉ユニット３を開くと、カード挿入排出口１２の側の入口側カード搬送路１３Ａを除き、カード搬送路１３Ｂが開放状態に切り替わる。また、ロックを解除した後は、図６（ｃ）に示すように、開閉ユニット３の後端部の上下のピボット軸５１、５２を装置本体ユニット２の側の軸装着溝５３、５４から側方に外すことができ、これにより、開閉ユニット３を装置本体ユニット２から完全に切り離すことができる。開閉ユニット３を装置本体ユニット２から外すと、図６（ｄ）に示すように、開閉ユニット３の内側表面のカードスタッカ１４のスタッカ開口部１４ａが露出する。
【００５５】
したがって、開閉ユニット３を開けることにより、カード搬送路１３Ｂに詰まったカードの除去作業を簡単に行うことができる。また、カード搬送路１３Ｂの各部分に付着した埃、汚れなどの清掃を簡単に行うことができる。さらに、開閉ユニット３を装置本体ユニット２から取り外せば、開閉ユニット３の側の清掃作業、カードスタッカ１４の各部のメンテナンスなどを簡単に行うことができる。
【００５６】
これに加えて、カード処理装置１を遊技台用台間機１００から取り外した場合には、図２（ｂ）に示すように、工具を用いて固定ネジ７を緩めて入口ガイドユニット６を装置本体ユニット２から取り外して、カード挿入排出口１２および入口側カード搬送路１３Ａを開放状態に切り替えることができる。よって、これらの部分の清掃作業なども簡単に行うことができる。
【００５７】
（搬送部品取付部およびその開閉構造：実施例１）
図７は装置本体ユニット２の搬送部品取付部を示す斜視図であり、図７（ａ）はローラーカバーを取り付けた状態を示す斜視図であり、図７（ｂ）はローラーカバーを外した状態を示す分解斜視図であり、図７（ｃ）はローラーユニットを取り外した状態を示す分解斜視図である。また、図８はローラーユニットを示す視図である。図７（ａ）に示すように、装置本体ユニット２は、開閉ユニット３が装着される側（カード搬送路１３を形成している側）に対して裏側に位置する面が裏カバー２ａによって覆われている。裏カバー２ａは、専用の工具によってのみ着脱可能な特殊ネジ２ｂ（いたずら防止ネジ）によって固定されている。
【００５８】
装置本体ユニット２には、カード搬送機構２０の第１、第２搬送ローラー２１、２２等を交換可能に取り付けるための搬送部品取付部６０（図７（ｂ）（ｃ）参照）が設けられている。搬送部品取付部６０は、裏カバー２ａのほぼ中央に設けられた概略矩形状の開口２ｃからその内部が外部に露出されるように構成されている。搬送部品取付部６０は、ここに装着される搬送部品に対応する形状に凹んでおり、カード搬送機構２０のメンテナンスを行う場合を除き、図７（ａ）に示すように、開口２ｃに取り付けられたローラーカバー６１（カバー）によって閉鎖されている。図７（ｂ）に示すように、ローラーカバー６１にはネジ孔６１ａが形成されており、このネジ孔６１ａに対応する搬送部品取付部６０内の位置にはボス部６２が形成されている。ローラーカバー６１は、ボス部６２に対し、固定ネジ６３によって着脱可能にネジ止めされている。固定ネジ６３は、プラス溝あるいはマイナス溝などが形成された一般的なネジ部材であり、ネジ止めおよび取り外しに特殊な工具を必要としないものである。このため、ローラーカバー６１は、特殊な工具を用いることなく簡単に着脱できる。
【００５９】
搬送部品取付部６０の装置前後方向に延びる内壁部の一方は内側に張り出した形状をしており、この張り出した部分は、カード搬送機構２０の歯車列２５の一部を収納するギアボックス２ｄを形成している。ローラーカバー６１は、ギアボックス２ｄに対応する箇所がギアボックス２ｄの平面形状に切り欠かれている。歯車列２５は、駆動モーター２４の出力軸に連結されたウォームギア（図示省略）によって駆動される平歯車２５ａ（図３（ａ）参照）およびこれと噛み合う平歯車２５ｂ（従動歯車：図７（ｂ）（ｃ）、図８参照）を備えており、ギアボックス２ｄには平歯車２５ａが収納されている。ギアボックス２ｄの装置前後方向を向いた面には窓が形成され、ここから平歯車２５ａの歯が搬送部品取付部６０内に露出している。
【００６０】
図７（ｃ）に示すように、搬送部品取付部６０の装置前後方向の一端側および他端側の各位置には、ローラーユニット装着部６４が形成されている。各ローラーユニット装着部６４には、図８に示すローラーユニット６５（搬送部品）が一体ずつ装着されている。各ローラーユニット６５は、ローラーシャフト６５ａの一端に第１、第２搬送ローラー２１、２２として機能するゴムローラー６５ｂを取り付け、他端に平歯車２５ｂ（従動歯車）を取り付けて構成されている。本例では、ローラーシャフト６５ａおよび平歯車２５ｂを樹脂素材により一体に形成しており、このローラーシャフト６５ａがゴムローラー６５ｂに圧入され、全体として一体回転するようになっている。ゴムローラー６５ｂから突出しているローラーシャフト６５ａの端部には、樹脂製のブッシュ６５ｃが装着されている。また、平歯車２５ｂから突出しているローラーシャフト６５ａのもう一方の端部にもブッシュ６５ｃが装着されている。
【００６１】
図７（ｃ）に示すように、ローラーユニット装着部６４は、ローラーユニット６５の外形に対応する凹み形状をしている。すなわち、ローラーユニット装着部６４は、ローラーシャフト６５ａを回転可能な状態で収納するローラーシャフト装着部６４ａと、ゴムローラー６５ｂを収納する搬送ローラー装着部６４ｂと、平歯車２５ａを収納するギア装着部６４ｃを備えている。搬送ローラー装着部６４ｂの底部には、カード搬送路１３内にゴムローラー６５ｂ（第１搬送ローラー２１／第２搬送ローラー２２）を露出させるための窓が形成されている。一方、ギア装着部６４ｃは、上述した平歯車２５ａを収納するギアボックス２ｄに隣接している。ローラーユニット装着部６４にローラーユニット６５を入れると、ギアボックス２ｄの窓を通り、ローラーユニット６５側の平歯車２５ｂとギアボックス２ｄ内の平歯車２５ａとが噛み合い、歯車列２５が形成される。
【００６２】
図９は軸受保持部の断面図（図７（ｃ）のＡ−Ａ部分断面図）であり、図９（ａ）はローラーカバー６１を外した状態、図９（ｂ）はローラーカバー６１を取り付けた状態を示している。ローラーユニット装着部６４の両端部分には軸受装着部６６Ａが形成されている。軸受装着部６６Ａは、ローラーシャフト６５ａの一端および他端に装着されたブッシュ６５ｃを嵌め込み可能な形状の凹部であり、その底部に円弧状の支持面６７Ａが形成されている。一方、ローラーカバー６１における各軸受装着部６６Ａに対峙する部分には軸受固定部６６Ｂが形成されている。軸受固定部６６Ｂは、軸受装着部６６Ａの入口部分に嵌まる凸形状をしており、その先端面が円弧状の支持面６７Ｂとなっている。
【００６３】
ローラーカバー６１を取り付けて開口２ｃを塞ぐと、図９（ｂ）に示すように、軸受装着部６６Ａ内に軸受固定部６６Ｂが挿入され、支持面６７Ａと支持面６７Ｂが正対して、ブッシュ６５ｃを挟み込み可能な軸受保持部６６が形成される。従って、ローラーカバー６１を外した状態で、各軸受装着部６６Ａにローラーユニット６５の各端部のブッシュ６５ｃを位置決めして嵌め込んだ後、ローラーカバー６１を取り付けることにより、ブッシュ６５ｃが軸受保持部６６に挟み込まれ、精度良く固定される。本例のブッシュ６５ｃは、ローラーシャフト６５ａを回転可能に支持しており、滑り軸受けとして機能するものである。よって、ブッシュ６５ｃを軸受保持部６６によって保持することにより、ローラーユニット６５が回転自在に保持された状態を形成できる。
【００６４】
以上のように、本例の搬送部品取付部６０は、装置本体ユニット２に第１、第２搬送ローラー２１、２２を配置するにあたって、開閉ユニット３を配置した側に対して裏側に位置する面に開口２ｃを設け、ここから搬送部品取付部２０のみを外部に露出させ、周囲の配線や電気部品などは露出させないようにしている。このように、本例では、ローラーカバー６１の着脱によって搬送部品取付部６０のみを開閉できるため、いたずら防止のために特殊なネジでローラーカバー６１を固定して搬送部品取付部２０を塞ぐ必要がない。また、開閉ユニット３を開けることなくローラーカバー６１を取り外すことができる。従って、簡単にローラーユニット６５を露出させてメンテナンスを行うことができる。よって、メンテナンス性に優れており、磨耗しやすいゴムローラー６５ｂを用いたカード搬送機構２０に適している。
【００６５】
また、搬送部品取付部６０は、ローラーユニット装着部６４側に軸受装着部６６Ａが形成され、ローラーカバー６１側に軸受固定部６６Ｂが形成されており、開口２ｃにローラーカバー６１を取り付けると軸受保持部６６が完成する。従って、ローラーユニット６５の両端に設けられた軸受（ブッシュ６５ｃ）を簡単に固定でき、ローラーユニット６５の交換作業を簡単に行うことができる。また、ブッシュ６５ｃを精度良く確実に保持できるため、ローラーユニット６５の取付精度も確保できる。
【００６６】
（搬送ローラー取付部およびその開閉構造：実施例２）
図１０は実施例２の搬送部品取付部を示す斜視図であり、図１０（ａ）はローラーカバーを取り付けた状態を示す斜視図であり、図１０（ｂ）は外部カバーを外した状態を示す分解斜視図である。また、図１０（ｃ）はローラーカバーを外した状態を示す分解斜視図であり、図１０（ｄ）はローラーユニットを取り外した状態を示す分解斜視図である。実施例２では、搬送部品取付部６０およびローラーカバー６１の構成は実施例１と同様であり、ローラーカバー６１を覆うように更に外部カバー６８が取り付けられている点のみが実施例１と異なっている。
【００６７】
外部カバー６８は、ローラーカバー６１よりも一回り大きい矩形状の板金部材である。外部カバー６８の上端縁の両端には、係合爪６８ａが形成されている。また、外部カバー６８の下端部分は、装置本体ユニット２の下端位置において屈曲しており、屈曲位置から装置本体ユニット２の底面に沿って延びる屈曲板部６８ｂが形成されている。屈曲板部６８ｂの先端縁の両端には、上向きに屈曲した係合爪６８ｃが形成されている。更に、外部カバー６８の上端縁の中央部分には、後述するラッチ部材６９の係合爪６９ｂに係合するラッチ穴６８ｄが形成されている。
【００６８】
裏カバー２ａには、外部カバー６８の各係合爪６８ａに対応する位置に、係合穴２ｅが形成されている。また、装置本体ユニット２の底面における各係合爪６８ｃに対応する位置には、不図示の係合穴が形成されている。更に、ラッチ穴６８ｄに対応する位置にはラッチ部材６９が配置されている。ラッチ部材６９は、上下にスライド可能に取り付けられ、不図示の付勢部材によって上向きに付勢されている。ラッチ部材６９の上端には操作用の指掛け部６９ａが形成され、下端には係合爪６９ｂが形成されている。
【００６９】
ラッチ部材６９を付勢力に逆らって下向きに移動させ、係合爪６９ｂを外部カバー６８のラッチ穴６８ｄに差し込んだ後、裏カバー２ａに沿って上向きに外部カバー６８をスライドさせると、外部カバー６８の上端では各係合爪６８ａが係合穴２ｃに差し込まれ、下端では各係合爪６８ｃが装置本体ユニット２の底面における各係合穴に差し込まれる。ラッチ部材６９が付勢力によって上端位置に戻ると、係合爪６９ｂがラッチ穴６８ｄの上端縁に係合して外部カバー６８の装着が完了する。外部カバー６８を外すときには、指掛け部６９ａを押してラッチ部材６９を下向きにスライドさせ、外部カバー６８を装着時とは逆向きにスライドさせて係合爪６８ａ、６８ｃを引き抜く。これにより、外部カバー６８を取り外し可能になる。
【００７０】
このような外部カバー６８を取り付けると、電磁波などの遮蔽効果が高い板金部材によって搬送部品取付部６０を中心とする広い範囲が覆われるため、装置本体ユニット２に設けられた部品への電磁波の影響を低減させることができる。特に、本例では、回路基板２７におけるＲＦアンテナ２８の搭載領域、および、搬送部品取付部６０の下側に配置された駆動モーター２４や搬送部品取付部６０の周囲の配線等の設置領域と重なるように外部カバー６８を配置しているため、これらの部品に対する電磁波の影響を低減させることができる。
【００７１】
（ローラーユニット：実施例２）
図１１は、実施例２のローラーユニットを示す斜視図である。実施例２のローラーユニット７０は、金属製のローラーシャフト７０ａと、ローラーシャフト７０ａの一端が圧入された樹脂製の平歯車２５ｂと、ローラーシャフト７０ａの他端が圧入された樹脂プーリ７０ｂと、樹脂プーリ７０ｂに被せたゴムローラー７０ｃとを備えている。ゴムローラー７０ｃから突出しているローラーシャフト７０ａの端部には、ボールベアリング７０ｄが装着されている。また、平歯車２５ｂから突出している側の端部にもボールベアリング７０ｄが装着されている。この場合には、搬送部品取付部６０の軸受装着部６６Ａおよびローラーカバー６１の軸受固定部６６Ｂを、ボールベアリング７０ｄを挟み込んで保持可能な形状にする。このようにすると、軸受としてボールベアリング７０ｄを用いた構成にすることができる。
【符号の説明】
【００７２】
１    カード処理装置
２    装置本体ユニット
２ａ  裏カバー
２ｂ  特殊ネジ
２ｃ  開口
２ｄ  ギアボックス
２ｅ  係合穴
３    開閉ユニット
３Ａ  閉じ位置
３Ｂ  開き位置
３ａ  上面部分
３ｂ  下面部分
３ｃ  側面
４    凹部
４ａ  下面部分
４ｂ  上面部分
５    開閉中心軸線
６    入口ガイドユニット
７    固定ネジ
１１  前端面
１２  カード挿入排出口
１３  カード搬送路
１３Ａ  入口側カード搬送路
１３Ｂ  カード搬送路
１３ｂ  後端
１４  カードスタッカ
１４ａ  スタッカ開口部
１５  第１搬送路面
１５ａ  後側搬送路面部分
１６、１７  第２搬送路面部分
２０  カード搬送機構
２１  第１搬送ローラー
２２  第２搬送ローラー
２２Ａ  当接位置
２３  アイドラローラー
２４  駆動モーター
２５  歯車列
２５ａ  平歯車
２５ｂ  平歯車（従動歯車）
２６  入口シャッター
２７  回路基板
２８  ＲＦアンテナ
３１  入口レバー
３２〜３５  フォトセンサ
４１  カード押し上げ板（カード押し上げ部材）
４２  圧縮コイルバネ（付勢部材）
４２Ａ  カード押し上げ位置
４３、４４  カード押し下げ部材
４３Ａ  カード押し下げ位置
５１、５２  ピボット軸
５３、５４  軸装着溝
５４ａ  溝部分
５４ｂ  溝開口端
５４ｃ  溝部分
５５、５６  ロックピン
５７、５８  ロック溝
５８ａ  溝開口端
５８ｂ  溝部分
５８ｃ  係合面
５９  ロック解除レバー
６０  搬送部品取付部
６１  ローラーカバー（カバー）
６１ａ  ネジ孔
６２  ボス部
６３  固定ネジ
６４  ローラーユニット装着部
６４ａ  ローラーシャフト装着部
６４ｂ  搬送ローラー装着部
６４ｃ  ギア装着部
６５  ローラーユニット（搬送部品）
６５ａ  ローラーシャフト
６５ｂ  ゴムローラー
６５ｃ  ブッシュ（軸受）
６６  軸受保持部
６６Ａ  軸受装着部
６６Ｂ  軸受固定部
６７Ａ、６７Ｂ  支持面
６８  外部カバー
６８ａ  係合爪
６８ｂ  屈曲板部
６８ｃ  係合爪
６８ｄ  ラッチ穴
６９  ラッチ部材
６９ａ  指掛け部
６９ｂ  係合爪
７０  ローラーユニット
７０ａ  ローラーシャフト
７０ｂ  樹脂プーリ
７０ｃ  ゴムローラー
７０ｄ  ボールベアリング（軸受）
９０  収納カード繰り出し機構
９１、９２  カード係合爪
９３、９４  圧縮コイルバネ
９５  爪スライド機構
９６  スライダ
１００  遊技台用台間機
１０１  台間機ホルダー
１０２  台間機本体
１０３  ケース
１０４  前面パネル
１０５  カードスロット
Ｃ    カード
Ｃ（２８）  リードライト対象のカード
Ｃ（１４）  収納カード
Ｃ１  最も上に収納されているカード
Ｃ２  挿入されたカード
Ｃａ、Ｃ１ａ  カードの端面
Ｃｂ  カードの端面
ΔＬ  カードの重なり寸法
Ｌ（Ｃ）  カードの搬送方向の長さ寸法
【図１】
0005753050.tif 000002
【図２】
0005753050.tif 000003
【図３】
0005753050.tif 000004
【図４】
0005753050.tif 000005
【図５】
0005753050.tif 000006
【図６】
0005753050.tif 000007
【図７】
0005753050.tif 000008
【図８】
0005753050.tif 000009
【図９】
0005753050.tif 000010
【図１０】
0005753050.tif 000011
【図１１】
0005753050.tif 000012